(57)【要約】【課題】無線ネットワークシステムにおいて、特定のセルに呼処理トラフィックが集中することによる輻輳を回避して、無線品質を改善する。【解決手段】無線ネットワークシステムにおいて、移動機は、２つ以上の無線基地局装置から受信した電波の強度の順位情報を無線ネットワーク制御装置に送信する。複数の無線基地局装置は、それぞれの無線基地局装置内部のトラフィック情報を無線ネットワーク制御装置に送信する。無線ネットワーク制御装置は、受信したトラフィック情報のうち、上記２つ以上の無線基地局装置内部のトラフィック情報を用いて、最適な無線基地局装置を選択し、その無線基地局装置を指定する情報を移動機に送信する。【選択図】図３
2009135793.tif 000002
【特許請求の範囲】
【請求項１】
移動機に対して最適な無線基地局装置のセルを割り当てる制御を行う無線ネットワーク制御装置であって、
前記移動機が２つ以上の無線基地局装置から受信した電波の強度の順位情報を受信するインタフェース手段と、
複数の無線基地局装置内部のトラフィック情報を受信するトラフィック収集手段と、
前記複数の無線基地局装置内部のトラフィック情報のうち前記２つ以上の無線基地局装置内部のトラフィック情報を用いて前記最適な無線基地局装置を選択し、該最適な無線基地局装置を指定する情報を前記移動機に送信する移動機制御手段と
を備えることを特徴とする無線ネットワーク制御装置。
【請求項２】
前記トラフィック収集手段は、前記トラフィック情報として、各無線基地局装置内のベースバンド処理部のリソース使用率、各無線基地局装置から前記移動機への下り方向の送信電力、および前記移動機から各無線基地局装置への上り方向の電力の干渉量のうち、１つまたは複数の情報を受信することを特徴とする請求項１記載の無線ネットワーク制御装置。
【請求項３】
前記移動機制御手段は、前記最適な無線基地局装置を第１優先順位として前記２つ以上の無線基地局装置の優先順位を指定する情報を前記移動機に送信し、該第１優先順位の無線基地局装置を接続先として個別チャネルを用いた呼処理接続を開始し、無線同期が確立しなければ、接続先を第２優先順位以降の無線基地局装置に切り替えて呼処理接続を行うことを特徴とする請求項１または２記載の無線ネットワーク制御装置。
【請求項４】
前記移動機制御手段は、前記リソース使用率、下り方向の送信電力、および上り方向の電力の干渉量のそれぞれについて設定された優先度を参照し、前記２つ以上の無線基地局装置の間における優先度の高いトラフィック情報の大小関係に基づいて、前記２つ以上の無線基地局装置の優先順位を決定することを特徴とする請求項２記載の無線ネットワーク制御装置。
【請求項５】
前記移動機制御手段は、前記リソース使用率、下り方向の送信電力、および上り方向の電力の干渉量のそれぞれを監視対象として使用するか否かを示す情報を参照し、前記２つ以上の無線基地局装置の間における監視対象のトラフィック情報の大小関係に基づいて、前記２つ以上の無線基地局装置の優先順位を決定することを特徴とする請求項２または４記載の無線ネットワーク制御装置。
【請求項６】
移動機と、複数の無線基地局装置と、該移動機に対して最適な無線基地局装置のセルを割り当てる制御を行う無線ネットワーク制御装置とを有する無線ネットワークシステムであって、
前記無線ネットワーク制御装置は、
前記移動機が２つ以上の無線基地局装置から受信した電波の強度の順位情報を受信するインタフェース手段と、
前記複数の無線基地局装置内部のトラフィック情報を受信するトラフィック収集手段と、
前記複数の無線基地局装置内部のトラフィック情報のうち前記２つ以上の無線基地局装置内部のトラフィック情報を用いて前記最適な無線基地局装置を選択し、該最適な無線基地局装置を指定する情報を前記移動機に送信する移動機制御手段とを備えることを特徴とする無線ネットワークシステム。
【請求項７】
移動機に対して最適な無線基地局装置のセルを割り当てる制御を行う無線ネットワーク
制御方法であって、
２つ以上の無線基地局装置から受信した電波の強度の順位情報を無線ネットワーク制御装置が受信し、
それぞれの無線基地局装置内部のトラフィック情報を前記無線ネットワーク制御装置が受信し、
前記無線ネットワーク制御装置が、前記複数の無線基地局装置内部のトラフィック情報のうち前記２つ以上の無線基地局装置内部のトラフィック情報を用いて前記最適な無線基地局装置を選択し、該最適な無線基地局装置を指定する情報を前記移動機に送信する
ことを特徴とする無線ネットワーク制御方法。
【発明の詳細な説明】
【技術分野】
【０００１】
本発明は、無線ネットワークシステムにおいて移動機に対して最適なセルを割り当てる制御を行う無線ネットワーク制御装置とその制御方法に関する。
【背景技術】
【０００２】
無線ネットワークシステムは、ユーザが所有する移動機（ＭＳ）と、ＭＳと無線区間で信号を送受信する無線基地局装置（ＢＴＳ）と、無線基地局を制御する無線ネットワーク制御装置（ＲＮＣ）から構成される。ＭＳは、現在自分がどの無線基地局配下のセル内に存在するのかを確認するために、セルサーチと呼ばれる無線基地局の初期情報収集を行う。
【０００３】
このとき、ＭＳがセルを認識してチャネル推定に用いる共通チャネルを止まり木チャネルと呼ぶ。一般的に、ＭＳは、止まり木チャネルの最も強い強度の電波を受信したＢＴＳとの間で発着信を行う。そして、止まり木チャネルに引き続き、共通チャネル（下り制御チャネル／上り制御チャネル）の接続シーケンスを行った後、個別チャネル（呼処理）シーケンスへ移行し、音声サービスやパケットサービスを開始する。
【０００４】
下記の特許文献１は、セル制御ラジオコントロールサーバと移動体端末制御ラジオコントロールサーバからなる無線エリアネットワーク制御システムに関する。移動体端末制御ラジオコントロールサーバは、リソース使用状況をセル制御ラジオコントロールサーバに送信し、セル制御ラジオコントロールサーバは、そのリソース使用状況に基づいて最適な移動体端末制御ラジオコントロールサーバを選択する。
【０００５】
下記の特許文献２は、統制局と複数の基地局を有する移動無線通信システムに関する。統制局は、移動局から送信された電波の受信入力レベルの情報とＧＰＳ（Global Positioning System ）位置情報、および各基地局のエリア情報から、最適な基地局を選択する。
【特許文献１】国際公開第２００３／０７７５８７号パンフレット
【特許文献２】特開２０００−０１３８４１号公報
【発明の開示】
【発明が解決しようとする課題】
【０００６】
しかしながら、上述した従来の無線ネットワークシステムには、次のような問題がある。
現状の無線ネットワークシステムは、ＭＳがセルサーチにより受信した止まり木チャネルの中から最も電力レベルの高いＢＴＳのセル（セクタおよびキャリア）を選択し、そのセルに対して上り制御チャネルの信号を返信し、発着信を行うことになる。このとき、該当セルを使用しているユーザが多い場合、もしくは干渉等で無線品質があまり良くない場合でも、そのＭＳは該当セルを使用してしまうことになる。
【０００７】
主要駅の駅前のように呼量が多い場所においては、一般に、複数の基地局を設置することによって多数のユーザの発着信をカバーする対応を行う。しかし、ＭＳがビル等の建造物の陰に隠れてしまうと、あるセルの止まり木チャネルの強度は高いが、あるセルの止まり木チャネルの強度は低くなるような現象が発生する。
【０００８】
従来のシステムでは、止まり木チャネル強度の高いセルを優先して発着信を行うため、ある特定のセルに呼処理トラフィックが集中して輻輳し、あるセルについては呼処理トラフィックが空きになるという現象が発生する。Ｗ−ＣＤＭＡ（Wideband Code Division M
ultiple Access）システムを例に挙げれば、呼処理トラフィックが集中して輻輳するほど、無線品質が劣化するという特徴があり、エンドユーザに影響が生じることになる。
【０００９】
図１２は、このような建造物によるＭＳの受信強度への影響を示している。ビルの屋上に設置されたＢＴＳ１１−１〜１１−３は、それぞれセル１２−１〜１２−３を担当しており、地上のユーザは、ＭＳ１３を用いて無線通信を行う。この場合、ビルにより電波の一部が遮蔽されるため、ＭＳ１３が受信する止まり木チャネルの強度は、ＢＴＳ１１−２＞ＢＴＳ１１−３＞ＢＴＳ１１−１の順になる。そこで、ＭＳ１３は、最も受信強度の強いＢＴＳ１１−２との間で発着信の処理を行う。
【００１０】
本発明の課題は、無線ネットワークシステムにおいて、特定のセルに呼処理トラフィックが集中することによる輻輳を回避して、無線品質を改善することである。
【課題を解決するための手段】
【００１１】
無線ネットワーク制御装置は、インタフェース手段、トラフィック収集手段、および移動機制御手段を備え、移動機に対して最適な無線基地局装置のセルを割り当てる制御を行う。
【００１２】
インタフェース手段は、移動機が２つ以上の無線基地局装置から受信した電波の強度の順位情報を受信する。トラフィック収集手段は、複数の無線基地局装置内部のトラフィック情報を受信する。移動機制御手段は、複数の無線基地局装置内部のトラフィック情報のうち、上記２つ以上の無線基地局装置内部のトラフィック情報を用いて、最適な無線基地局装置を選択し、その無線基地局装置を指定する情報を移動機に送信する。
【００１３】
移動機制御手段は、トラフィック収集手段が受信した複数の無線基地局装置内部のトラフィック情報の中から、受信した順位情報に含まれる２つ以上の無線基地局装置内部のトラフィック情報を選択する。そして、それらのトラフィック情報を用いて最適な無線基地局装置を選択する。移動機は、選択された無線基地局装置との間で呼を確立し、無線通信を開始する。
【００１４】
インタフェース手段、トラフィック収集手段、および移動機制御手段は、例えば、後述する図２のＢＴＳ回線インタフェース部２０３、トラフィック収集部２０２、およびＭＳ制御部２０１にそれぞれ対応する。
【発明の効果】
【００１５】
開示の無線ネットワーク制御装置によれば、ＢＴＳ内部のトラフィック情報を考慮して接続先ＢＴＳが選択されるため、特定のセルに呼処理トラフィックが集中することによる輻輳が回避され、無線品質が改善される。したがって、輻輳により困難であった高レートの呼処理サービスも、ユーザに対して提供できるようになる。  
【発明を実施するための最良の形態】
【００１６】
以下、図面を参照しながら、本発明を実施するための最良の形態を詳細に説明する。
実施形態では、特定セル（セクタおよびキャリア）へのトラフィック集中による品質劣化を回避するために、従来の方法で用いていた、ＭＳが受信する止まり木チャネル強度に加えて、さらに、ＢＴＳ内部のトラフィック情報をＲＮＣに通知する。そして、ＲＮＣが２つの情報に基づいて最適なセルを選択する。
【００１７】
ＢＴＳ内部のトラフィック情報としては、ベースバンド処理部のリソース使用率（ＢＢ使用率）、ＢＴＳの下り方向の電力値（総送信電力）、ＢＴＳが受信する上り方向の電力（干渉量）が、各ＢＴＳからＲＮＣに定期的に通知される。ＲＮＣは、止まり木チャネル
強度とトラフィック情報を総合的に判断し、複数のセルに接続すべき優先順位を付与する。そして、第１優先順位のセルを選択して発着信処理を行う。
【００１８】
以下に、実施形態のＷ−ＣＤＭＡで用いられる主な用語について簡単にまとめておく。１．ＲＮＣ：無線ネットワーク制御装置
ＲＮＣは、配下のＢＴＳを統制する。
２．ＢＴＳ：無線基地局装置。
【００１９】
ＢＴＳは、ＭＳと無線区間で送受信を行う。
３．ＭＳ：移動機
エンドユーザがＭＳを所有する。
４．ＣＰＩＣＨ（Common Pilot Channel）：止まり木チャネル
ＣＰＩＣＨは、初期情報収集時のチャネル推定用共通パイロット信号（下り）を送信する。
５．ＲＡＣＨ（Random Access Channel ）：上り制御チャネル
ＲＡＣＨは、上位レイヤからの上り制御信号（上り）を低速で送信する。
６．ＦＡＣＨ（Forward Access Channel）：下り制御チャネル
ＦＡＣＨは、下り制御信号を低速で送信する。ＦＡＣＨは、複数のＭＳで共用される。７．呼処理
呼処理は、ＲＮＣ−ＢＴＳ−ＭＳ間で決められた接続シーケンス（共通チャネル／個別チャネル）に従い、音声／パケット等のサービスを行うことを指す。
８．セクタ
１つのＢＴＳでカバーできるサービスエリア（セル）が３個または６個のセクタに放射状に分割され、それぞれのセクタがあたかも別個のサービスエリアのように構成される。９．ＢＢ使用率
ＢＢ使用率は、ベースバンド処理部のリソース使用率（現在の使用数または空き数）を示す。
１０．総送信電力
総送信電力は、装置の最大送信電力に対する各セクタの各キャリアの送信電力の割合を示す。
１１．干渉量
干渉量は、上り方向の雑音レベルを示す。ＢＴＳのセル内の各セクタのキャリア単位で情報が収集される。
【００２０】
図１は、実施形態の無線ネットワークシステム（Ｗ−ＣＤＭＡシステム）の構成例を示している。このＷ−ＣＤＭＡシステムは、ＲＮＣ１０１、ＢＴＳ１０２−１〜１０２−ｍ、およびＭＳ１０３−１〜１０３−３を含む。ＲＮＣ１０１とＢＴＳ１０２−ｉ（ｉ＝１，２，．．．，ｍ）の間は有線区間となり、ＢＴＳ１０２−ｉとＭＳ１０３−ｊ（ｊ＝１，２，３）の間は無線区間となる。
【００２１】
図２は、ＲＮＣ１０１の構成例を示している。ＲＮＣ１０１は、ＭＳ制御部２０１、トラフィック収集部２０２、ＢＴＳ回線インタフェース部２０３、および上位ネットワーク回線インタフェース部２０４を備える。
【００２２】
ＭＳ制御部２０１は、ＭＳ１０３−ｊからの上り制御チャネル（ＲＡＣＨ）情報を受信し、ＢＴＳ毎の止まり木チャネル強度を認識する。また、ＢＴＳ１０２−ｉからの無線トラフィック情報とＭＳ１０３−ｊからの上り制御チャネル（ＲＡＣＨ）情報から、接続優先順位を決定し、優先順位情報を下り制御チャネル（ＦＡＣＨ）にてＭＳ１０３−ｊに通知する。ＭＳ制御部２０１は、個別チャネルの処理も行う。
【００２３】
トラフィック収集部２０２は、ＢＴＳ１０２−ｉからの無線トラフィック情報を取得し、各ＢＴＳの空き状況を認識する。ＢＴＳ回線インタフェース部２０３は、ＲＮＣとＢＴＳ１０２−ｉの間の信号を送受信し、上位ネットワーク回線インタフェース部２０４は、上位ネットワークとＲＮＣの間の信号を送受信する。
【００２４】
以下では簡単のため、同じＢＴＳに属するセクタのキャリア間ではなく、異なるＢＴＳに属するセクタのキャリア間で空き状況を比較し、接続先ＢＴＳの優先順位を決定する場合について説明する。
【００２５】
図３は、図１のＷ−ＣＤＭＡシステムにおけるＢＴＳ選択シーケンスを示している。ＭＳ１０３−１は、ＢＴＳ１０２−１〜１０２−３からＣＰＩＣＨの信号を受信し、それらの受信強度から接続先ＢＴＳの優先順位を決定する（手順３０１）。ここでは、例えば、優先順位がＢＴＳ１０２−２＞ＢＴＳ１０２−３＞ＢＴＳ１０２−１のように決定される。
【００２６】
また、ＢＴＳ１０２−１〜１０２−３は、ＢＴＳ内部のトラフィック情報（ＢＢ使用率、総送信電力、干渉量）をＲＮＣ１０１に報告する（手順３０２）。ＲＮＣ１０１は、ＢＴＳ１０２−１〜１０２−３の隣接情報を認識済みであり、報告されたトラフィック情報から、現在のＢＴＳ１０２−１〜１０２−３のキャリアの空き状態を認識する。
【００２７】
次に、ＭＳ１０３−１は、ＣＰＩＣＨ強度から決定したＢＴＳの優先順位を付加したコネクション設定要求を、ＲＡＣＨにてＲＮＣ１０１に送信する（手順３０３）。コネクション設定要求は、第１優先順位のＢＴＳ１０２−２を介してＲＮＣ１０１に転送される。
【００２８】
ＲＮＣ１０１は、コネクション設定要求により通知された優先順位とＢＴＳ内部のトラフィック情報から総合的にＢＴＳの優先順位を決定し、その優先順位を含むコネクション設定応答をＦＡＣＨにてＭＳ１０３−１に送信する（手順３０４）。
【００２９】
実際には、手順３０２において、すべてのＢＴＳ１０２−１〜１０２−ｍがＲＮＣ１０１にトラフィック情報を報告する。そこで、手順３０４において、ＲＮＣ１０１は、ＢＴＳ１０２−１〜１０２−ｍのうち、ＭＳ１０３−１から通知された優先順位に含まれるＢＴＳ１０２−１〜１０２−３のみを選択し、それらのトラフィック情報に基づいてＢＴＳの優先順位を決定する。
【００３０】
一般に、ＢＢ使用率（使用数）が小さいほどＢＴＳの優先順位は高くなり、ＢＢ使用率（空き数）が大きいほどＢＴＳの優先順位は高くなる。また、総送信電力が小さいほどＢＴＳの優先順位は高くなり、干渉量が小さいほどＢＴＳの優先順位は高くなる。
【００３１】
ここでは、例えば、ＭＳ１０３−１から通知された優先順位が、ＢＴＳ１０２−３＞ＢＴＳ１０２−２＞ＢＴＳ１０２−１のように変更され、コネクション設定応答は、第１優先順位のＢＴＳ１０２−３を介してＭＳ１０３−１に転送される。
【００３２】
次に、ＲＮＣ１０１およびＭＳ１０３−１は、第１優先順位のＢＴＳ１０２−３との間で個別チャネル設定シーケンスを行う（手順３０５）。このシーケンスでは、ＢＴＳ１０２−３およびＭＳ１０３−１が上位装置であるＲＮＣ１０１の指示に従って、タイミングを合わせて個別チャネル設定を行い、無線同期が確立すると、個別チャネルの呼処理を開始する。
【００３３】
ＲＮＣ１０１は、タイマを起動し（手順３１１）、ＢＴＳ１０２−３との間で個別チャネルの設定を行う。そして、個別チャネルの同期が確立したか否かをチェックする（手順
３１２）。同期が確立するとタイマを停止し（手順３１３）、個別チャネルの呼処理を開始する（手順３１４）。
【００３４】
一定時間内に同期が確立しなければタイムアウトと判断し（手順３１５）、ＢＴＳ１０２−２＞ＢＴＳ１０２−１という優先順位を含むコネクション設定応答を、ＦＡＣＨにてＭＳ１０３−１に送信する（手順３０６）。コネクション設定応答は、第２優先順位のＢＴＳ１０２−２を介してＭＳ１０３−１に転送される。そして、ＲＮＣ１０１は、ＢＴＳ１０２−２との間で個別チャネル設定シーケンスを開始する（手順３０７）。
【００３５】
一方、ＭＳ１０３−１も、ＲＮＣ１０１と同様の手順で個別チャネル設定シーケンスを行う。まず、タイマを起動し（手順３２１）、ＢＴＳ１０２−３との間で個別チャネルの設定を行う。そして、個別チャネルの同期が確立したか否かをチェックする（手順３２２）。同期が確立するとタイマを停止し（手順３２３）、個別チャネルの呼処理を開始する（手順３２４）。
【００３６】
一定時間内に同期が確立しなければタイムアウトと判断し（手順３２５）、第２優先順位のコネクション設定応答を受信した後（手順３０６）、ＢＴＳ１０２−２との間で個別チャネル設定シーケンスを開始する（手順３０７）。
【００３７】
第２優先順位の個別チャネル設定シーケンス（手順３０７）においても、ＲＮＣ１０１およびＭＳ１０３−１は、第１優先順位の個別チャネル設定シーケンスと同様の処理を行う（手順３３１〜３３５および３４１〜３４５）。
【００３８】
そして、タイムアウトと判断されると（手順３３５および３４５）、ＲＮＣ１０１からＭＳ１０３−１に対して、ＢＴＳ１０２−１を第３優先順位として指定するコネクション設定応答が送信される（手順３０８）。コネクション設定応答は、ＦＡＣＨにてＢＴＳ１０２−１を介してＭＳ１０３−１に転送される。その後、ＲＮＣ１０１およびＭＳ１０３−１は、第３優先順位のＢＴＳ１０２−１との間で個別チャネル設定シーケンスを開始する（手順３０９）。
【００３９】
このように、ＢＴＳ１０２−２および１０２−１については、最初の手順３０１から再開する必要はなく、ＦＡＣＨによるコネクション設定応答の送信からシーケンスを継続することができる。手順３０１〜３０３を第２優先順位以降の個別チャネル設定シーケンスにも流用することで、ＢＴＳ選択シーケンスが簡略化される。
【００４０】
これに対して、従来の無線ネットワークの接続シーケンスにおいては、以下の手順で処理が行われる。
（１）ＭＳは、ＣＰＩＣＨ強度の最も強いＢＴＳのセルに対するコネクション設定要求を、ＲＡＣＨにて上位装置であるＲＮＣに送信する。
（２）ＲＮＣは、コネクション設定応答をＦＡＣＨにてＭＳに送信する。
（３）ＢＴＳおよびＭＳは、ＲＮＣの指示に従い、タイミングを合わせて個別チャネル設定を行う。
（４）無線同期が確立し、個別チャネルの呼処理が開始される。
【００４１】
ここで、無線同期が確立せず、呼処理接続に失敗した場合は、最初の手順（１）からシーケンスが再開される。
次に、図４から図９までを参照しながら、ＢＴＳ選択シーケンスについてより詳細に説明する。
【００４２】
ＲＮＣ１０１は、ＢＴＳ内部の複数種類のトラフィック情報について優先度を設定し、
それぞれのＢＴＳの置局条件によってその優先度を変更する。トラフィック情報の優先度は、例えば、トラフィック情報優先度テーブルにより設定される。
【００４３】
図４は、ＲＮＣ１０１内に設けられるトラフィック情報優先度テーブルの例を示している。ＲＮＣ１０１は、ＢＴＳ１０２−１〜１０２−３から受信する複数種類のトラフィック情報に優先度を設定することで、フレキシブルに接続先ＢＴＳを選択可能となる。パターン１〜６は、ＢＢ使用率、総送信電力、および干渉量についてのそれぞれ異なる優先度を表している。例えば、パターン１の場合、ＢＢ使用率が優先度１に設定され、総送信電力が優先度２に設定され、干渉量が優先度３に設定されている。ＲＮＣ１０１は、パターン１〜６のいずれかを選択して、ＢＴＳ選択のために使用する。
【００４４】
また、ＲＮＣ１０１は、各トラフィック情報を監視対象として使用するか否かを示す情報を設定し、それぞれのＢＴＳの置局条件によってその情報を変更する。各トラフィック情報を使用するか否かは、例えば、トラフィック情報選択テーブルにより設定される。
【００４５】
図５は、ＲＮＣ１０１内に設けられるトラフィック情報選択テーブルの例を示している。ＲＮＣ１０１は、それぞれのトラフィック情報を使用するか否かを設定することで、フレキシブルに接続先ＢＴＳを選択可能となる。パターンＡ〜Ｈは、ＢＢ使用率、総送信電力、および干渉量についてのそれぞれ異なるＯＮ／ＯＦＦ設定を表している。例えば、パターンＢの場合、ＢＢ使用率と総送信電力がともにＯＮ（使用する）に設定され、干渉量がＯＦＦ（使用しない）に設定されている。ＲＮＣ１０１は、パターンＡ〜Ｈのいずれかを選択して、ＢＴＳ選択のために使用する。
【００４６】
優先度１のトラフィック情報がＯＮに設定されている場合は、優先度１のトラフィック情報の大小関係に基づいてＢＴＳの優先順位が決定される。優先度１のトラフィック情報がＯＦＦに設定され、優先度２のトラフィック情報がＯＮに設定されている場合は、優先度２のトラフィック情報の大小関係に基づいてＢＴＳの優先順位が決定される。優先度１および２のトラフィック情報がＯＦＦに設定され、優先度３のトラフィック情報がＯＮに設定されている場合は、優先度３のトラフィック情報の大小関係に基づいてＢＴＳの優先順位が決定される。
【００４７】
さらに、ＲＮＣ１０１は、各トラフィック情報について閾値を設定し、閾値を超えたトラフィック情報を持つＢＴＳを選択対象から除外する。これにより、ＢＴＳ選択の条件が簡略化される。各トラフィック情報の閾値は、例えば、トラフィック情報閾値テーブルにより設定される。
【００４８】
図６は、ＲＮＣ１０１内に設けられるトラフィック情報閾値テーブルの例を示している。ＲＮＣ１０１は、ＢＴＳ１０２−ｉから報告されるトラフィック情報が閾値を超えた場合、そのＢＴＳ１０２−ｉが輻輳状態にあると判断し、選択対象から除外する。
【００４９】
この例では、ＢＢ使用率の閾値はセクタ毎に設定され、総送信電力および干渉量の閾値は各セクタのキャリア毎に設定される。例えば、セクタ１のＢＢ使用率の閾値として、使用数５０％と空き数５０％が設定され、セクタ１のキャリアｎの総送信電力に対しては閾値７０％が設定され、セクタ１のキャリアｎの干渉量に対しては閾値−５０ｄＢｍが設定されている。
【００５０】
なお、図４〜図６に示したテーブルの内容は一例に過ぎず、実施形態はこれらのパターンや閾値に限られるわけではない。
図７は、図４〜図６に示したテーブルに基づく第１の優先順位決定方法を示している。ここでは、図４のパターン１および図５のパターンＡが選択され、ＢＴＳ１０２−１〜１
０２−３から報告される総送信電力および干渉量はすべて閾値以下であり、ＢＢ使用率（空き数）はすべて閾値以上であるものとする。この場合、ＢＢ使用率、総送信電力、および干渉量のすべてが使用され、優先度１のＢＢ使用率に基づいてＢＴＳの優先順位が決定される。
【００５１】
まず、ＭＳ１０３−１は、ＢＴＳ１０２−１〜１０２−３からＣＰＩＣＨの信号を受信し（手順７０１）、ＢＴＳ１０２−１〜１０２−３は、それぞれ以下のようなトラフィック情報をＲＮＣ１０１に報告する（手順７０２）。
【００５２】
ＢＴＳ１０２−１：ＢＢ使用率（空き数）Ｘ１，総送信電力Ｙ１，干渉量Ｚ１
ＢＴＳ１０２−２：ＢＢ使用率（空き数）Ｘ２，総送信電力Ｙ２，干渉量Ｚ２
ＢＴＳ１０２−３：ＢＢ使用率（空き数）Ｘ３，総送信電力Ｙ３，干渉量Ｚ３
次に、ＭＳ１０３−１は、ＢＴＳの優先順位（ＢＴＳ１０２−２＞ＢＴＳ１０２−３＞ＢＴＳ１０２−１）を付加したコネクション設定要求をＲＮＣ１０１に送信する（手順７０３）。
【００５３】
ＲＮＣ１０１は、ＢＢ使用率の大小関係がＸ３＞Ｘ２＞Ｘ１であることを確認し（手順７０４）、総送信電力の大小関係がＹ２＞Ｙ３＞Ｙ１であることを確認し（手順７０５）、干渉量の大小関係がＺ１＞Ｚ３＞Ｚ２であることを確認する（手順７０６）。そして、優先度１のＢＢ使用率の大小関係に従って、優先順位をＢＴＳ１０２−３＞ＢＴＳ１０２−２＞ＢＴＳ１０２−１と決定し（手順７０６）、その優先順位を含むコネクション設定応答をＭＳ１０３−１に送信する（手順７０８）。
【００５４】
次に、ＲＮＣ１０１およびＭＳ１０３−１は、タイマを起動し（手順７０９および７１０）、第１優先順位のＢＴＳ１０２−３との間で個別チャネルの設定を行う。
図８は、図４〜図６に示したテーブルに基づく第２の優先順位決定方法を示している。ここでは、図４のパターン２および図５のパターンＢが選択され、ＢＴＳ１０２−１〜１０２−３から報告される総送信電力および干渉量はすべて閾値以下であり、ＢＢ使用率（空き数）はすべて閾値以上であるものとする。この場合、ＢＢ使用率および総送信電力のみが使用され、優先度１のＢＢ使用率に基づいてＢＴＳの優先順位が決定される。
【００５５】
図８の手順８０１〜８０３、８０９、および８１０については、図７の手順７０１〜７０３、７０９、および７１０と同様である。
ＲＮＣ１０１は、ＭＳ１０３−１からコネクション設定要求を受信すると、ＢＢ使用率の大小関係がＸ３＞Ｘ２＞Ｘ１であることを確認し（手順８０４）、干渉量がＯＦＦであることを確認し（手順８０５）、総送信電力の大小関係がＹ２＞Ｙ３＞Ｙ１であることを確認する（手順８０６）。そして、優先度１のＢＢ使用率の大小関係に従って、優先順位をＢＴＳ１０２−３＞ＢＴＳ１０２−２＞ＢＴＳ１０２−１と決定し（手順８０７）、その優先順位を含むコネクション設定応答をＭＳ１０３−１に送信する（手順８０８）。
【００５６】
図９は、図４〜図６に示したテーブルに基づく第３の優先順位決定方法を示している。ここでは、図４のパターン３および図５のパターンＡが選択されるものとする。また、ＢＢ使用率（使用数）、総送信電力、および干渉量の閾値は、それぞれ６０％、７０％、および−７０ｄＢｍであり、すべてのセクタのすべてのキャリアに共通の閾値であるものとする。この場合、ＢＢ使用率、総送信電力、および干渉量のすべてが使用され、優先度１の総送信電力に基づいてＢＴＳの優先順位が決定される。
【００５７】
図９の手順９０１〜９０３、９０９、および９１０については、図７の手順７０１〜７０３、７０９、および７１０と同様である。ただし、ＢＢ使用率Ｘ１〜Ｘ３は、空き数ではなく使用数を表す。
【００５８】
ＲＮＣ１０１は、ＭＳ１０３−１からコネクション設定要求を受信すると、総送信電力の大小関係が７０％＞Ｙ１＞Ｙ３＞Ｙ２であることを確認し（手順９０４）、ＢＢ使用率の大小関係がＸ１＞６０％＞Ｘ３＞Ｘ２であることを確認する（手順９０５）。この場合、Ｘ１が閾値を超えているので、ＢＴＳ１０２−１を選択対象から除外する。次に、干渉量の大小関係が−７０ｄＢｍ＞Ｚ３＞Ｚ２であることを確認する（手順９０６）。
【００５９】
そして、優先度１の総送信電力の大小関係に従って、優先順位をＢＴＳ１０２−２＞ＢＴＳ１０２−３と決定し（手順９０７）、その優先順位を含むコネクション設定応答をＭＳ１０３−１に送信する（手順９０８）。
【００６０】
なお、図７〜図９に示した優先順位決定方法は一例に過ぎず、実施形態はこれらの具体例に限られるわけではない。また、トラフィック情報選択テーブルにおいてＯＦＦに設定されているトラフィック情報については、ＢＴＳからＲＮＣへ報告しない構成を採用しても構わない。
【００６１】
ところで、ＢＴＳ内部のトラフィック情報の報告方法を変更することで、ＢＴＳ選択の条件をフレキシブルに変更することも可能である。この場合、ＢＴＳ内に周期タイマを設け、定期的にトラフィック情報をＲＮＣに報告する方法と、それぞれのトラフィック情報に閾値を設定し、トラフィック情報が閾値を超えた場合のみＲＮＣに報告する方法のいずれかを選択する。
【００６２】
図１０は、定期報告型のトラフィック情報報告方法を示している。ＢＴＳ１０１−１は、周期タイマを備え、一定周期でトラフィック情報をＲＮＣ１０１に報告する。他のＢＴＳについても同様である。
【００６３】
図１１は、閾値判定型のトラフィック情報報告方法を示している。ＢＴＳ１０１−１は、それぞれのトラフィック情報を収集しながら（手順１１０１）、閾値判定を繰り返し（手順１１０２）、閾値を超えたトラフィック情報のみをＲＮＣ１０１に報告する。他のＢＴＳについても同様である。このような報告方法によれば、定期報告型の報告方法と比較して、ＲＮＣ−ＢＴＳ間の通信情報量を削減することができる。
【００６４】
以上の実施形態では、ＲＮＣは、それぞれのＢＴＳからＢＴＳ内部のトラフィック情報を受信し、ＭＳからＢＴＳの優先順位の情報を受信している。しかしながら、実施形態はこれに限られず、それらの情報を管理する管理装置を別途設けて、ＲＮＣがトラフィック情報および優先順位情報をその管理装置から取得するようにしてもよい。
【００６５】
図１〜図１１を参照しながら説明した以上の実施形態に関し、さらに以下の付記を開示する。
（付記１）移動機に対して最適な無線基地局装置のセルを割り当てる制御を行う無線ネットワーク制御装置であって、
前記移動機が２つ以上の無線基地局装置から受信した電波の強度の順位情報を受信するインタフェース手段と、
複数の無線基地局装置内部のトラフィック情報を受信するトラフィック収集手段と、
前記複数の無線基地局装置内部のトラフィック情報のうち前記２つ以上の無線基地局装置内部のトラフィック情報を用いて前記最適な無線基地局装置を選択し、該最適な無線基地局装置を指定する情報を前記移動機に送信する移動機制御手段と
を備えることを特徴とする無線ネットワーク制御装置。
（付記２）前記トラフィック収集手段は、前記トラフィック情報として、各無線基地局装置内のベースバンド処理部のリソース使用率、各無線基地局装置から前記移動機への下り
方向の送信電力、および前記移動機から各無線基地局装置への上り方向の電力の干渉量のうち、１つまたは複数の情報を受信することを特徴とする付記１記載の無線ネットワーク制御装置。
（付記３）前記移動機制御手段は、前記最適な無線基地局装置を第１優先順位として前記２つ以上の無線基地局装置の優先順位を指定する情報を前記移動機に送信し、該第１優先順位の無線基地局装置を接続先として個別チャネルを用いた呼処理接続を開始し、無線同期が確立しなければ、接続先を第２優先順位以降の無線基地局装置に切り替えて呼処理接続を行うことを特徴とする付記１または２記載の無線ネットワーク制御装置。
（付記４）前記移動機制御手段は、前記リソース使用率、下り方向の送信電力、および上り方向の電力の干渉量のそれぞれについて設定された優先度を参照し、前記２つ以上の無線基地局装置の間における優先度の高いトラフィック情報の大小関係に基づいて、前記２つ以上の無線基地局装置の優先順位を決定することを特徴とする付記２記載の無線ネットワーク制御装置。
（付記５）前記移動機制御手段は、前記リソース使用率、下り方向の送信電力、および上り方向の電力の干渉量のそれぞれを監視対象として使用するか否かを示す情報を参照し、前記２つ以上の無線基地局装置の間における監視対象のトラフィック情報の大小関係に基づいて、前記２つ以上の無線基地局装置の優先順位を決定することを特徴とする付記２または４記載の無線ネットワーク制御装置。
（付記６）前記移動機制御手段は、前記リソース使用率、下り方向の送信電力、および上り方向の電力の干渉量のそれぞれについて設定された閾値を参照し、閾値を超えたトラフィック情報を持つ無線基地局装置を選択対象から除外することを特徴とする付記２、４、または５記載の無線ネットワーク制御装置。
（付記７）移動機と、複数の無線基地局装置と、該移動機に対して最適な無線基地局装置のセルを割り当てる制御を行う無線ネットワーク制御装置とを有する無線ネットワークシステムであって、
前記無線ネットワーク制御装置は、
前記移動機が２つ以上の無線基地局装置から受信した電波の強度の順位情報を受信するインタフェース手段と、
前記複数の無線基地局装置内部のトラフィック情報を受信するトラフィック収集手段と、
前記複数の無線基地局装置内部のトラフィック情報のうち前記２つ以上の無線基地局装置内部のトラフィック情報を用いて前記最適な無線基地局装置を選択し、該最適な無線基地局装置を指定する情報を前記移動機に送信する移動機制御手段とを備えることを特徴とする無線ネットワークシステム。
（付記８）移動機に対して最適な無線基地局装置のセルを割り当てる制御を行う無線ネットワーク制御方法であって、
２つ以上の無線基地局装置から受信した電波の強度の順位情報を無線ネットワーク制御装置が受信し、
それぞれの無線基地局装置内部のトラフィック情報を前記無線ネットワーク制御装置が受信し、
前記無線ネットワーク制御装置が、前記複数の無線基地局装置内部のトラフィック情報のうち前記２つ以上の無線基地局装置内部のトラフィック情報を用いて前記最適な無線基地局装置を選択し、該最適な無線基地局装置を指定する情報を前記移動機に送信する
ことを特徴とする無線ネットワーク制御方法。
（付記９）前記トラフィック情報を定期的に前記無線ネットワーク制御装置に報告する定期報告方法と、それぞれのトラフィック情報に閾値を設定し、トラフィック情報が閾値を超えた場合のみ前記無線ネットワーク制御装置に報告する閾値判定型報告方法のいずれかを選択することを特徴とする付記８記載の無線ネットワーク制御方法。
【図面の簡単な説明】
【００６６】
【図１】無線ネットワークシステムの構成図である。
【図２】ＲＮＣの構成図である。
【図３】ＢＴＳ選択シーケンスを示す図である。
【図４】トラフィック情報優先度テーブルを示す図である。
【図５】トラフィック情報選択テーブルを示す図である。
【図６】トラフィック情報閾値テーブルを示す図である。
【図７】第１の優先順位決定方法を示す図である。
【図８】第２の優先順位決定方法を示す図である。
【図９】第３の優先順位決定方法を示す図である。
【図１０】第１のトラフィック情報報告方法を示す図である。
【図１１】第２のトラフィック情報報告方法を示す図である。
【図１２】建造物の影響を示す図である。
【符号の説明】
【００６７】
１１−１、１１−２、１１−３、１０２−１、１０２−２、１０２−３、１０２−ｍ  ＢＴＳ
１２−１、１２−２、１２−３  セル
１３、１０３−１、１０３−２、１０３−３  ＭＳ
１０１  ＲＮＣ
２０１  ＭＳ制御部
２０２  トラフィック収集部
２０３  ＢＴＳ回線インタフェース部
２０４  上位ネットワーク回線インタフェース部
【図１】
2009135793.tif 000003
【図２】
2009135793.tif 000004
【図３】
2009135793.tif 000005
【図４】
2009135793.tif 000006
【図５】
2009135793.tif 000007
【図６】
2009135793.tif 000008
【図７】
2009135793.tif 000009
【図８】
2009135793.tif 000010
【図９】
2009135793.tif 000011
【図１０】
2009135793.tif 000012
【図１１】
2009135793.tif 000013
【図１２】
2009135793.tif 000014